(57)【要約】【課題】構造が簡素で、しかも、コンパクトで、更に、カードのコネクタに対する挿入排出操作が簡便なスライダ付きカードコネクタを提供する。【解決手段】スライダ付きカードコネクタ１は、複数のコンタクト３を有するハウジング２と、ハウジングを被覆するカバー４と、ハウジングにスライド可能に保持されるスライダ５と、ハウジング、カバー及びスライダに設置されてスライダのロック及びロック解除を制御するカム機構と、カードのスライダからの脱出を防止するシャッタ６等を有する。シャッタは、スライダにヒンジ６ｂによって回転可能に取り付けられる。シャッタを押すことによって、ＩＣカード１１のコネクタ１への挿入及びコネクタ１からの排出を行う際、ＩＣカードを保持するスライダとシャッタとは、共にスライドする。【選択図】      図３
2004213999.tif 000002
【特許請求の範囲】
【請求項１】
カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構と、カードの前記スライダからの脱出を防止するシャッタとを有し、
前記シャッタは、前記スライダに回転可能に取り付けられ、
前記シャッタを押すことによって、前記カードの前記カードコネクタへの挿入及び前記カードコネクタからの排出を行う際、前記カードを保持する前記スライダと前記シャッタとが共にスライドすることを特徴とするスライダ付きカードコネクタ。
【請求項２】
カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構とを有し、
前記カム機構は、カムとカムフォロアとから構成され、前記カムは、前記スライダに設けられ、前記カムフォロアは、前記ハウジング及び前記カバーに設けられ、
前記カムフォロアは、短尺部と長尺部とから略Ｌ字形状に構成され、前記短尺部は、回転軸となり、前記長尺部は、前記カムに係合し、かつ、前記カバーに形成されたカムフォロア押えによって前記カム側に向けて常時付勢されていることを特徴とするスライダ付きカードコネクタ。
【発明の詳細な説明】
【０００１】
【発明の属する技術分野】
本発明は、スライダのスライドによって、カードのコネクタへの挿入とコネクタからの排出を行うスライダ付きカードコネクタに関する。
【０００２】
【従来の技術】
従来のカードコネクタについて図８を参照して説明する（例えば、特許文献１参照。）。
【０００３】
図８（Ａ）に示されるように、メモリカードＣを装置本体Ｓに挿入する場合には、メモリカードＣをカード挿入口Ｈからガイド部２３のガイドフレーム２３ａに沿って挿入する。メモリカードＣがイジェクトフレーム２５に設けられた２箇所のイジェクトバー２７まで到達すると、操作者はカードカバー２９を支軸２６ｃを中心に反時計方向に水平状態まで回転させる。支軸２６ｃは、イジェクトフレーム２５と一体に構成されたプレート２６のブラケット２６ｂに設けられ、また、プレート２６に設けられた２つのガイド孔２６ａに、装置本体Ｓに設けられた２本のガイドピン２８が挿入されている。
【０００４】
図８（Ｂ）に示されるように、カードカバー２９を水平状態に保持した後、操作者はカードカバー２９を矢印方向に押すことによって、メモリカードＣをメモリカードコネクタ２１のコネクタ部２２方向に押し込む。コネクタ部２２には、多数のコンタクトピン２４が設けられる。
【０００５】
図８（Ｃ）に示されるように、カードカバー２９に設けられた爪部２９ｃが装置本体Ｓの溝部３０に係合したときに、メモリカードＣはメモリカードコネクタ２１のコネクタ部２２に接続される。図８（Ｃ）に示される状態で、ロックレバー（図示せず）をカードカバー２９の水平部２９ａの方向にスライドさせることによって、ロックレバーの先端部がカードカバー２９に設けられた突起部（図示せず）に接触する。したがって、カードカバー２９は、図８（Ｃ）に示される閉鎖状態に保持されるので、メモリカードＣは、メモリカードコネクタ２１から排出することを防止される。
【０００６】
メモリカードＣを装置本体Ｓから排出する場合には、上記挿入の場合とは逆の手順の操作を行う。すなわち、まず、ロックレバーの先端部をカードレバー２９の突起部から隔離させ、ロックを解除し、カードカバー２９を回転可能とする。
【０００７】
次に、操作者は、カードカバー２９の水平部２９ａの底面に手指を当接して図８（Ｂ）における矢印方向と反対方向にスライドさせる。したがって、メモリカードＣは、イジェクトバー２７によって押されるので、メモリカードコネクタ２１のコネクタ部２２から分離する。
【０００８】
続いて、カードカバー２９を所定距離スライドさせた後、カードカバー２９を支軸２６ｃを中心に時計方向に回転させると、図８（Ａ）に示されるように、メモリカードＣの後端が操作者の手指で摘まむことができる状態に至る。この状態で、操作者がメモリカードＣをメモリカードコネクタ２１から取り出す。
【０００９】
なお、プッシュ−プッシュ式カードコネクタにおいて、ハートカムを採用することにより、コネクタがフリー状態から嵌合状態に移行され、更に、嵌合状態からフリー状態に復帰されるように構成することは、周知技術（例えば、特許文献２及び特許文献３参照。）である。
【００１０】
【特許文献１】
特許第２８００８０１号公報（第３頁第６欄第１行−第４１行、図１，４）
【００１１】
【特許文献２】
特開２００１−２６７０１３号公報（第２頁第２欄第３７行−第３頁第４欄第２６行、図１−４）
【００１２】
【特許文献３】
特開２０００−２６０５２４号公報（第２頁第２欄第２９行−第３頁第４欄第５行、図１−８）
【００１３】
【発明が解決しようとする課題】
従来のカードコネクタ（特許文献１記載）においては、カードカバー（シャッタ）２９は、プレート２６に設けられ、メモリカードＣは、ガイド部２３のガイドフレーム２３ａに沿って挿入排出される。したがって、構造が複雑で、しかも、小型化が困難であり、また、メモリカードのカードコネクタに対する挿入排出操作が煩雑である。
【００１４】
そこで、本発明は、この従来のカードコネクタの欠点を改良し、構造が簡素で、しかも、コンパクトで、更に、カードのコネクタに対する挿入排出操作が簡便なスライダ付きカードコネクタを提供しようとするものである。
【００１５】
【課題を解決するための手段】
本発明は、前記課題を解決するため、次の手段を採用する。
【００１６】
１．カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構と、カードの前記スライダからの脱出を防止するシャッタとを有し、前記シャッタは、前記スライダに回転可能に取り付けられ、前記シャッタを押すことによって、前記カードの前記カードコネクタへの挿入及び前記カードコネクタからの排出を行う際、前記カードを保持する前記スライダと前記シャッタとが共にスライドするスライダ付きカードコネクタ。
【００１７】
２．カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構とを有し、前記カム機構は、カムとカムフォロアとから構成され、前記カムは、前記スライダに設けられ、前記カムフォロアは、前記ハウジング及び前記カバーに設けられ、前記カムフォロアは、短尺部と長尺部とから略Ｌ字形状に構成され、前記短尺部は、回転軸となり、前記長尺部は、前記カムに係合し、かつ、前記カバーに形成されたカムフォロア押えによって前記カム側に向けて常時付勢されているスライダ付きカードコネクタ。
【００１８】
【発明の実施の形態】
本発明の一実施の形態例のスライダ付きカードコネクタについて図１〜図７を参照して説明する。
【００１９】
図１は、スライダ付きカードコネクタ１の斜視図である。コネクタ１のハウジング２の一側面には、カム機構収容部Ａが設置されている。合成樹脂製のハウジング２を被覆する長方形状の金属製のカバー４の４隅には、筐体への固定用フランジ部４ｄが設けられ、各固定用フランジ部４ｄには、位置決め穴４ｄ１が開けられている。コネクタ１の前面には、シャッタ６が配設され、シャッタ６は、スライダ（後述する。）に回転可能に取り付けられ、スライダと共にスライドすることができる。
【００２０】
図２は、コネクタ１の４面図であり、（Ａ）は正面図、（Ｂ）は側面図、（Ｃ）は背面図、（Ｄ）は前面図を、それぞれ示す。
【００２１】
図３は、コネクタ１からＩＣカード１１が排出される手順を矢印で順次示す。まず、ＩＣカード１１が挿入されたコネクタ１のシャッタ６を手指によってプッシュすると、金属製のスライダ５と、シャッタ６と、スライダ５に載置されたＩＣカード１１とは、ハウジング２から排出される（排出機構は後述する。）。次に、シャッタ６を回転して開く（回転機構は後述する。）。続いてＩＣカード１１をスライダ５上から取り出す。なお、ハウジング２には、多数のコンタクト３が一定のピッチで配設されている。
【００２２】
図４（Ａ）は、カバー４を内面側から見た斜視図であり、図４（Ｂ）は、図４（Ａ）におけるＢ部の拡大図である。カバー４の主面４ａには、スライダ５の突き当て用の一対の凸部４ａ１、スライダ５を排出方向に付勢するコイルスプリング用の固定部４ａ２及びカムフォロア用支持部４ａ３等が、切り起し形成されている。
【００２３】
カバー４の主面４ａの両側に、側面４ｂ，４ｃがそれぞれ折曲形成されている。略Ｌ字形状のカムフォロア７の短尺部７ａは、カムフォロア用支持部４ａ３の先端に形成されたスリット４ａ３ａに挿入され、回転軸となり、また、長尺部７ｂの先端に湾曲して形成された係合部７ｃは、ハートカム（後述する。）のガイド溝に係合する。側面４ｂに切り起し形成されたカムフォロア押え４ｂ１は、カムフォロア７の係合部７ｃがハートカムのガイド溝に係合することを補助する。また、カムフォロア押え４ｂ１と長尺部７ｂとが略一直線上に配置されることにより、コネクタの小型化が図れる。
【００２４】
図５（Ａ）は、コネクタ１に、カバー４、シャッタ６及びスライダ５を付勢するコイルスプリングが組み込まれる前の状態を裏面側から見た斜視図であり、図５（Ｂ）は、図５（Ａ）におけるＣ部の拡大図である。スライダ５の主面５ａの左右両側には、カバー４の各凸部４ａ１にはまるスリット部５ａ１と、ＩＣカード１１が表裏逆に挿入されることを防止する誤挿入防止用レール部５ａ２，５ａ３が、形成される。
【００２５】
ハウジング２の一隅付近には、カバー４のカムフォロア用支持部４ａ３の先端が圧入される溝部２ａと、カムフォロア７の短尺部７ａの先端を保持する他の溝部２ｂが、形成される。
【００２６】
スライダ５には、合成樹脂製のハートカム８が取り付けられる。カムフォロア７の係合部７ｃは、ハートカム８のガイド溝に係合する。ハートカムは、特許文献２，３にも記載されているように本出願前に周知であるから、ここでは詳細を述べないこととする。スライダ５に設けられたコイルスプリング用固定部５ｂには、コイルスプリング（図示せず）の一端が固定され、コイルスプリングの他端は、カバー４のコイルスプリング用の固定部４ａ２に固定される。コイルスプリングは、スライダ５をハウジング２から排出する方向に常時付勢する。
【００２７】
図６は、スライダ５に対するシャッタ６の取付構造を示す斜視図である。スライダ５の両側面５ｃの後端には、凹凸状の弾性片５ｃ１が形成される。シャッタ６の内側の左右両端には、テーパ状の凹凸部６ａが形成される。シャッタ６の下部は、スライダ５の両側面５ｃの後端下部にヒンジ６ｂによって回転可能に取り付けられる。図６は、シャッタ６が開放している状態を示す。この状態において、シャッタ６がヒンジ６ｂを支点として右回りに略半回転すると、各凹凸部６ａは各弾性片５ｃ１に係合し、シャッタ６はスライダ５を閉鎖する。
【００２８】
図７（Ａ）〜（Ｅ）は、コネクタ１が筐体（すなわち機器）１２に固定された状態において、ＩＣカード１１をコネクタ１から取り出す過程を示す側面図である。
【００２９】
（Ａ）の状態では、シャッタ６が筐体１１に対して同一平面に設置されているので、筐体１１のデザイン性は良好に維持される。シャッタ６を、（Ｂ）の矢印方向にプッシュすると、ハートカム８のガイド溝のロック部に対するカムフォロア７の係合部７ｃが解除されるから、スライダ５は、（Ｃ）に示されるように、コイルスプリング（図示せず）の復元力によってシャッタ６と共に筐体１２から突出する。このとき、シャッタ６がスライダ５を閉鎖しているため、ＩＣカード１１はスライダ５から脱出することを防止される。続いて、（Ｄ）に示されるように、手指にてシャッタ６を開放した後に、（Ｅ）に示されるように、手指にてＩＣカード１１をスライダ５上から取り出す。
【００３０】
【発明の効果】
以上の説明から明らかなように、本発明によれば、次の効果が、奏される。
【００３１】
１．スライダにシャッタが取り付けられているので、カードは無用にスライダから脱出することを防止される。
【００３２】
２．カードのコネクタへの挿入とコネクタからの排出とを、シャッタを押すことのみによって行うことができるので、操作が簡便である。
【００３３】
３．略Ｌ字形状のカムフォロアの短尺部はカバーのカムフォロア用支持部に支持され、カムフォロア用支持部はハウジングの溝部に圧入される。また、短尺部の先端は、ハウジングの他の溝部に保持される。更に、カムフォロアの長尺部は、カバーのカムフォロア押えによってカムへの係合を補助される。したがって、カムフォロアは、カムに確実に係合する。
【００３４】
４．シャッタがスライダにヒンジによって取り付けられ、しかも、シャッタのテーパ状の凹凸部がスライダの凹凸状の弾性片に係合離脱するので、シャッタの開閉を簡便に行うことができる。
【００３５】
５．コネクタは、ハウジング、カバー、スライダ、シャッタ、コイルスプリング、カム及びカムフォロアから構成されるため、構造が簡素で、しかも、コンパクトで、部品点数が少なく、組立分解が簡易で、更に、コストが安価である。
【００３６】
６．シャッタを筐体（機器）に対して同一平面に設置することができるので、筐体のデザイン性は良好に維持される。
【図面の簡単な説明】
【図１】本発明の一実施の形態例のスライダ付きカードコネクタの斜視図である。
【図２】同コネクタの４面図であり、（Ａ）は正面図、（Ｂ）は側面図、（Ｃ）は背面図、（Ｄ）は前面図を、それぞれ示す。
【図３】同コネクタに挿入されているＩＣカードを排出するときの操作の過程を示す斜視図である。
【図４】同コネクタにおけるカバーを内面側から見た斜視図であり、（Ａ）は全体図、（Ｂ）は（Ａ）におけるＢ部の拡大図を、それぞれ示す。
【図５】同コネクタに、カバー、シャッタ及びスライダを付勢するコイルスプリングが組み込まれる前の状態を裏面側から見た斜視図であり、（Ａ）は全体図、（Ｂ）は（Ａ）におけるＣ部の拡大図を、それぞれ示す。
【図６】同コネクタにおける同スライダに対する同シャッタの取付構造の斜視図である。
【図７】同コネクタが筐体（機器）に固定された状態において、同ＩＣカードを取り出す過程を順次（Ａ）〜（Ｅ）に示す側面図である。
【図８】従来のカードコネクタ（特許文献１記載）におけるメモリカードを挿入する過程を順次（Ａ）〜（Ｃ）に示す断面図である。
【符号の説明】
１    スライダ付きカードコネクタ
２    ハウジング
２ａ    溝部
２ｂ    溝部
３    コンタクト
４    カバー
４ａ    主面
４ａ１    凸部
４ａ２    固定部
４ａ３    カムフォロア用支持部
４ａ３ａ    スリット
４ｂ    側面
４ｂ１    カムフォロア押え
４ｃ    側面
４ｄ    固定用フランジ部
４ｄ１    位置決め穴
５    スライダ
５ａ    主面
５ａ１    スリット部
５ａ２，５ａ３    誤挿入防止用レール部
５ｂ    コイルスプリング用固定部
５ｃ    側面
５ｃ１    弾性片
６    シャッタ
６ａ    凹凸部
６ｂ    ヒンジ
７    カムフォロア
７ａ    短尺部
７ｂ    長尺部
７ｃ    係合部
８    ハートカム
１１    ＩＣカード
１２    筐体（機器）
【図１】
2004213999.tif 000003
【図２】
2004213999.tif 000004
【図３】
2004213999.tif 000005
【図４】
2004213999.tif 000006
【図５】
2004213999.tif 000007
【図６】
2004213999.tif 000008
【図７】
2004213999.tif 000009
【図８】
2004213999.tif 000010
【手続補正書】
【提出日】平成15年7月24日(2003.7.24)
【手続補正１】
【補正対象書類名】明細書
【補正対象項目名】特許請求の範囲
【補正方法】変更
【補正の内容】
【特許請求の範囲】
【請求項１】
カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構と、カードの前記スライダからの脱出を防止するシャッタとを有し、
前記シャッタは、前記スライダに回転可能に取り付けられ、
前記シャッタを押すことによって、前記カードの前記カードコネクタへの挿入及び前記カードコネクタからの排出を行う際、前記カードを保持する前記スライダと前記シャッタとが共にスライドし、前記シャッタを開放可能にする位置に前記スライダを移動させた後、前記シャッタを回転させて開放し、前記カードの排出を行うことを特徴とするスライダ付きカードコネクタ。
【請求項２】
前記スライダは金属製であり、
前記カム機構は、合成樹脂製のカムとカムフォロアとから構成され、前記カムは、前記スライダに設けられ、前記カムフォロアは、前記ハウジング及び前記カバーに設けられ、
前記カムフォロアは、短尺部と長尺部とから略Ｌ字形状に構成され、前記短尺部は、回転軸となり、前記長尺部は、前記カムに係合し、かつ、前記カバーに形成されたカムフォロア押えによって前記カム側に向けて常時付勢されていることを特徴とする請求項１記載のスライダ付きカードコネクタ。
【手続補正２】
【補正対象書類名】明細書
【補正対象項目名】００１６
【補正方法】変更
【補正の内容】
【００１６】
１．カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構と、カードの前記スライダからの脱出を防止するシャッタとを有し、前記シャッタは、前記スライダに回転可能に取り付けられ、前記シャッタを押すことによって、前記カードの前記カードコネクタへの挿入及び前記カードコネクタからの排出を行う際、前記カードを保持する前記スライダスライダと前記シャッタとが共にスライドし、前記シャッタを開放可能にする位置に前記スライダを移動させた後、前記シャッタを回転させて開放し、前記カードの排出を行うことを特徴とするスライダ付きカードコネクタ。


【手続補正３】
【補正対象書類名】明細書
【補正対象項目名】００１７
【補正方法】変更
【補正の内容】
【００１７】
２．前記スライダは金属製であり、前記カム機構は、合成樹脂製のカムとカムフォロアとから構成され、前記カムは、前記スライダに設けられ、前記カムフォロアは、前記ハウジング及び前記カバーに設けられ、前記カムフォロアは、短尺部と長尺部とから略Ｌ字形状に構成され、前記短尺部は、回転軸となり、前記長尺部は、前記カムに係合し、かつ、前記カバーに形成されたカムフォロア押えによって前記カム側に向けて常時付勢されている前記１記載のスライダ付きカードコネクタ。




【手続補正書】
【提出日】平成16年2月3日(2004.2.3)
【手続補正１】
【補正対象書類名】明細書
【補正対象項目名】請求項１
【補正方法】変更
【補正の内容】
【請求項１】
カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構と、カードの前記スライダからの脱出を防止するシャッタとを有し、
前記シャッタは、前記スライダに回転可能に取り付けられ、
前記スライダと前記シャッタとは、互いに係合する係合部を有し、
前記シャッタを押すことによって、前記カードの前記カードコネクタへの挿入及び前記カードコネクタからの排出を行い、前記カードを前記カードコネクタから排出する際、前記カム機構が前記スライダと前記シャッタとを共にスライドさせ、前記カム機構が前記シャッタを開放可能にする位置に前記スライダを移動させた後、前記シャッタの回転により前記係合部が解除されて前記シャッタが開放され、前記カードを前記スライダ上から取り出すことができることを特徴とするスライダ付きカードコネクタ。
【手続補正２】
【補正対象書類名】明細書
【補正対象項目名】００１６
【補正方法】変更
【補正の内容】
【００１６】
１．カードコネクタは、複数のコンタクトを保持するハウジングと、前記ハウジングを被覆するカバーと、前記ハウジングにスライド可能に保持されるスライダと、前記ハウジング、前記カバー及び前記スライダに設置されて前記スライダのロック及びロック解除を制御するカム機構と、カードの前記スライダからの脱出を防止するシャッタとを有し、前記シャッタは、前記スライダに回転可能に取り付けられ、前記スライダと前記シャッタとは、互いに係合する係合部を有し、  前記シャッタを押すことによって、前記カードの前記カードコネクタへの挿入及び前記カードコネクタからの排出を行い、前記カードを前記カードコネクタから排出する際、前記カム機構が前記スライダと前記シャッタとを共にスライドさせ、前記カム機構が前記シャッタを開放可能にする位置に前記スライダを移動させた後、前記シャッタの回転により前記係合部が解除されて前記シャッタが開放され、前記カードを前記スライダ上から取り出すことができるスライダ付きカードコネクタ。


【手続補正３】
【補正対象書類名】明細書
【補正対象項目名】００２９
【補正方法】変更
【補正の内容】
【００２９】
（Ａ）の状態では、シャッタ６が筐体１２に対して同一平面に設置されているので、筐体１２のデザイン性は良好に維持される。シャッタ６を、（Ｂ）の矢印方向にプッシュすると、ハートカム８のガイド溝のロック部に対するカムフォロア７の係合部７ｃが解除されるから、スライダ５は、（Ｃ）に示されるように、コイルスプリング（図示せず）の復元力によってシャッタ６と共に筐体１２から突出する。このとき、シャッタ６がスライダ５を閉鎖しているため、ＩＣカード１１はスライダ５から脱出することを防止される。続いて、（Ｄ）に示されるように、手指にてシャッタ６を開放した後に、（Ｅ）に示されるように、手指にてＩＣカード１１をスライダ５上から取り出す。